(57)【要約】  含水して水素を発生する水素発生剤と、水と、前記水を前記水素発生剤と反応しない非流出状態に保持する非流出状態保持手段と、を水素ガスを外部に放出する孔を有した副放出手段を備えた副収容体に収容し、前記副収容体は、水素ガスを外部に放出する孔を有した主放出手段を備えた主収容体に収容して一体に構成すると共に、前記副収容体を内包した前記主収容体は、前記液体中に遊動自在に投入され、前記非流出状態保持手段は、前記主収容体外から所定量のエネルギーを付与することにより前記非流出状態の前記水を前記水素発生剤と反応可能な流出状態に変化させるものであり、前記エネルギーの付与をトリガーとして、前記流出状態となった前記水を前記水素発生剤と反応させ、前記副収容体内にて生成した水素を前記副放出手段と前記主放出手段を介して放出することにより、前記液体の水素発生ユニット内への浸潤によらず前記水素含有液を生成すべく構成した。
2017061056.tif 000002
【特許請求の範囲】
【請求項１】
液体中に投入することにより同液体中に水素を含有させて水素含有液を生成する水素発生ユニットにおいて、  同水素発生ユニットは、  含水して水素を発生する水素発生剤と、  水と、  前記水を前記水素発生剤と反応しない非流出状態に保持する非流出状態保持手段と、を水素ガスを外部に放出する孔を有した副放出手段を備えた副収容体に収容し、  前記副収容体は、水素ガスを外部に放出する孔を有した主放出手段を備えた主収容体に収容して一体に構成すると共に、  前記副収容体を内包した前記主収容体は、前記液体中に遊動自在に投入され、  前記非流出状態保持手段は、前記主収容体外から所定量のエネルギーを付与することにより前記非流出状態の前記水を前記水素発生剤と反応可能な流出状態に変化させるものであり、  前記エネルギーの付与をトリガーとして、前記流出状態となった前記水を前記水素発生剤と反応させ、前記副収容体内にて生成した水素を前記副放出手段と前記主放出手段を介して放出することにより、前記液体の水素発生ユニット内への浸潤によらず前記水素含有液を生成すべく構成したことを特徴とする水素発生ユニット。
【請求項２】
前記副収容体は、前記水素発生剤と前記水と前記非流出状態保持手段とを収容する副収容室を備え、  前記主収容体は、前記副収容体を収容する主収容室を備え、  前記非流出状態保持手段は、前記水を密閉収容して前記非流出状態とする可撓性の区画室であり、同区画室は、収容していた前記水を吐出して前記流出状態とする脆弱部を有し、  前記エネルギーとして前記主収容体を手指で挟持する押圧力が所定量付与されることにより前記脆弱部を破断し、前記流出状態となった前記水が前記水素発生剤と反応して生成した水素を前記副放出手段と前記主放出手段を介して放出することにより、前記液体の水素発生ユニット内への浸潤によらず前記水素含有液を生成すべく構成したことを特徴とする請求項１に記載の水素発生ユニット。
【請求項３】
前記主放出手段は管状の狭窄通路で形成された主水素排出口を備え、  前記副放出手段は管状の狭窄通路で形成された副水素排出口を備えることを特徴とする請求項１又は請求項２に記載の水素発生ユニット。
【請求項４】
前記主・副収容体は可撓性を有する合成樹脂材からなり、  前記主収容体は前記主水素排出口と連通し、  前記副収容体は前記副水素排出口と連通し、前記副収容室には更に貫通用部材を収容し、  前記貫通用部材は先端先鋭の貫通用突起を有し、  前記副収容室には、前記脆弱部に前記貫通用突起を対峙して収容し、  前記エネルギーとして前記主収容体を手指で挟持する押圧力が所定量付与されることにより前記貫通用突起が前記脆弱部を破断し、前記流出状態となった前記水が前記水素発生剤と反応して生成した水素を前記主・副水素排出口を介して放出することにより、前記液体の水素発生ユニット内への浸潤によらず前記水素含有液を生成すべく構成したことを特徴とする請求項３に記載の水素発生ユニット。
【請求項５】
前記主水素排出口の開口方向を鉛直方向とし、前記副水素排出口の開口方向を水平方向として互いが異なる開口方向となるように形成したことを特徴とする請求項３又は請求項４に記載の水素発生ユニット。
【請求項６】
前記主水素排出口の前記狭窄通路には、前記主水素排出口の前記狭窄通路と連通する前記主収容室の上部側壁を左右側部と底部からなる正面視凹状とし、凹状の前記底部で前記主水素排出口の前記狭窄通路の下端部が連通した逆流防止部を備えることを特徴とする請求項３乃至請求項５のいずれか１項に記載の水素発生ユニット。
【請求項７】
前記主収容体の下部側を先端先鋭に形成したことを特徴とする請求項１乃至請求項６のいずれか１項に記載の水素発生ユニット。
【請求項８】
請求項１乃至請求項７のいずれか１項に記載の水素発生ユニットの前記主収容体に装着自在なカバー体であり、  前記カバー体は、前記カバー体を前記主収容体に装着することで前記主収容体を略被覆すると共に、前記カバー体の外部から機械的なエネルギーとしての外力が付与されても前記非流出状態保持手段が前記非流出状態を保持することができるように外力遮断部を備えたことを特徴とする水素発生ユニットのカバー体。
【発明の詳細な説明】
【技術分野】
【０００１】  本発明は、液体中に水素を含有させて水素含有液を生成する水素発生ユニットに関する。
【背景技術】
【０００２】  我々が日常的に摂取する水は、健康の基礎作りとして極めて重要な役割を果たしており、人々の間で健康志向が高まる中、飲用水への注目が更に高まっている。【０００３】  従来より、このようなニーズに合致するような飲用水は種々提案されており、例えば、飲用水中に酸素を多量に溶存させた酸素水や、水素を溶存させた水素水が知られている。【０００４】  特に、分子状水素を含有させた水素水は、生体内酸化ストレスの低下や、血中ＬＤＬの増加抑制など、健康に寄与する報告が種々なされている。【０００５】  このような水素水は、水中に水素を溶存させることで生成されるのであるが、水素の入手や純粋な水素を水中に溶解させることは一般には困難である。【０００６】  また、水中に溶存させた水素は、水素透過性の極めて低い容器を用いない限り時間と共に徐々に抜けてしまうため、水素水の調製後できるだけ速やかに飲用に供するのが望ましい。【０００７】  そこで、一般家庭などにおいても手軽に水素水を調製できるよう、数cm程度の有底筒状容器の内部に水素発生剤を封入した水素添加器具が提案されている（例えば、特許文献１参照。）。【０００８】  このような水素添加器具によれば、水を収容したペットボトル等の容器内に投入して密閉することで、水中に水素を含有させて水素水を生成できるとしている。【０００９】  ところが、特許文献１に係る従来の水素添加器具は、水素発生剤を防湿包装袋から取出し、この水素発生剤を別途密閉容器に挿入し、さらに水素発生剤と反応させるための水を所定量添加して閉蓋するという作業が必要となる。【００１０】  このような煩雑な作業は、特に高齢者など手先の細かな作業が不得手な者にとっては困難であり、より手軽に水素水を生成できる手段が望まれていたところ、本願発明者が既に発明し出願している特許文献２や特許文献３に係る水素発生ユニットでは、含水して水素を発生する水素発生剤と、水と、水を水素発生剤と反応しない非流出状態に保持する非流出状態保持手段と、を水素ガスを外部に放出する孔を有した放出手段を備えた収容体に収容して構成すると共に、非流出状態保持手段は、収容体外から所定量のエネルギーを付与することにより非流出状態の水を水素発生剤と反応可能な流出状態に変化させるものであり、エネルギーの付与をトリガーとして、流出状態となった水を水素発生剤と反応させ、収容体内にて生成した水素を放出手段を介して放出することにより、液体（以下、飲用水と同義とする。）の水素発生ユニット内への浸潤によらず水素含有液を生成すべく構成した水素発生ユニットを見出している。【００１１】  すなわち、水素発生ユニットを防湿包装袋から取出した後は、収容体の外部から手指で挟持する押圧力により水を流出状態として水素の発生を開始させ、キャップを有するペットボトル等の調製容器中の飲用水に水素発生ユニットを投入して閉蓋するだけで水素を含有させた水素含有液を生成でき、従来の水素添加器具に比して、水素含有液をより手軽に生成可能な水素発生ユニットを提供することができるものである。
【先行技術文献】
【特許文献】
【００１２】
【特許文献１】特開２０１２−０２０９６２号公報
【特許文献２】特願２０１５−０００７４０
【特許文献３】特願２０１５−０８１９４９
【発明の概要】
【発明が解決しようとする課題】
【００１３】  上記特許文献２、３に係る水素発生ユニットは、少なくとも高齢者など手先の細かな作業が不得手な者であっても水素含有液を手軽に得られる点で非常に優れており、水素含有液の世界的な普及には欠かすことができない技術である。【００１４】  しかしながら、特許文献２に係る水素発生ユニットでは、水素ガスの放出手段として加工が難しく高価な半透膜等の部材を用いる必要があり、多くの一般消費者に安価に提供するには他の技術分野も含めた更なる技術開発の進展を待つ必要がある。【００１５】  また、特許文献２に係る水素発生ユニットは、水素排出口を形成する狭窄通路を備えた合成樹脂材からなる収容体を用いることで一般消費者に安価に提供することができる。また、本願発明者による数多くの実験から、水素の生成後に収容体内部に残る反応済みの水を含む副生成物が水素排出口から調製容器中の飲用水（以下、液体と同義とする。）に流出しないことが確認されており、水素発生ユニットの使用者が予期せぬ使用方法を実施した場合であっても、逆流防止部やトラップ室等の形成により飲用水への流出防止を図っている。【００１６】  しかしながら、水素排出口は機械的な狭窄通路であることから、水素発生ユニットの使用者による予期せぬ使用方法を実施した場合にまで飲用水への流出防止を完全に図ることができるか否かについては疑問があった。【００１７】  このような事情に鑑みて本願本発明は、従来の水素発生ユニットに比して収容体内の水素生成後の副生成物の飲用水への流出防止を強化した水素発生ユニットを提供する。
【課題を解決するための手段】
【００１８】  上記従来の課題を解決するために、本発明に係る水素発生ユニットでは、（１）液体中に投入することにより同液体中に水素を含有させて水素含有液を生成する水素発生ユニットにおいて、同水素発生ユニットは、含水して水素を発生する水素発生剤と、水と、前記水を前記水素発生剤と反応しない非流出状態に保持する非流出状態保持手段と、を水素ガスを外部に放出する孔を有した副放出手段を備えた副収容体に収容し、前記副収容体は、水素ガスを外部に放出する孔を有した主放出手段を備えた主収容体に収容して一体に構成すると共に、前記副収容体を内包した前記主収容体は、前記液体中に遊動自在に投入され、前記非流出状態保持手段は、前記主収容体外から所定量のエネルギーを付与することにより前記非流出状態の前記水を前記水素発生剤と反応可能な流出状態に変化させるものであり、前記エネルギーの付与をトリガーとして、前記流出状態となった前記水を前記水素発生剤と反応させ、前記副収容体内にて生成した水素を前記副放出手段と前記主放出手段を介して放出することにより、前記液体の水素発生ユニット内への浸潤によらず前記水素含有液を生成すべく構成した。【００１９】  また、本発明に係る水素発生ユニットでは、以下の点にも特徴を有する。（２）前記副収容体は、前記水素発生剤と前記水と前記非流出状態保持手段とを収容する副収容室を備え、前記主収容体は、前記副収容体を収容する主収容室を備え、前記非流出状態保持手段は、前記水を密閉収容して前記非流出状態とする可撓性の区画室であり、同区画室は、収容していた前記水を吐出して前記流出状態とする脆弱部を有し、前記エネルギーとして前記主収容体を手指で挟持する押圧力が所定量付与されることにより前記脆弱部を破断し、前記流出状態となった前記水が前記水素発生剤と反応して生成した水素を前記副放出手段と前記主放出手段を介して放出することにより、前記液体の水素発生ユニット内への浸潤によらず前記水素含有液を生成すべく構成したこと。（３）前記主放出手段は管状の狭窄通路で形成された主水素排出口を備え、前記副放出手段は管状の狭窄通路で形成された副水素排出口を備えること。（４）前記主・副収容体は可撓性を有する合成樹脂材からなり、前記主収容体は前記主水素排出口と連通し、前記副収容体は前記副水素排出口と連通し、前記副収容室には更に貫通用部材を収容し、前記貫通用部材は先端先鋭の貫通用突起を有し、前記副収容室には、前記脆弱部に前記貫通用突起を対峙して収容し、前記エネルギーとして前記主収容体を手指で挟持する押圧力が所定量付与されることにより前記貫通用突起が前記脆弱部を破断し、前記流出状態となった前記水が前記水素発生剤と反応して生成した水素を前記主・副水素排出口を介して放出することにより、前記液体の水素発生ユニット内への浸潤によらず前記水素含有液を生成すべく構成したこと。（５）前記主水素排出口の開口方向を鉛直方向とし、前記副水素排出口の開口方向を水平方向として互いが異なる開口方向となるように形成したこと。（６）前記主水素排出口の前記狭窄通路には、前記主水素排出口の前記狭窄通路と連通する前記主収容室の上部側壁を左右側部と底部からなる正面視凹状とし、凹状の前記底部��前記主水素排出口の前記狭窄通路の下端部が連通した逆流防止部を備えること。（７）前記主収容体の下部側を先端先鋭に形成したこと。（８）水素発生ユニットの前記主収容体に装着自在なカバー体であり、前記カバー体は、前記カバー体を前記主収容体に装着することで前記主収容体を略被覆すると共に、前記カバー体の外部から機械的なエネルギーとしての外力が付与されても前記非流出状態保持手段が前記非流出状態を保持することができるように外力遮断部を備えたこと。
【発明の効果】
【００２０】  本発明に係る水素発生ユニットによれば、液体中に投入することにより同液体中に水素を含有させて水素含有液を生成する水素発生ユニットにおいて、同水素発生ユニットは、含水して水素を発生する水素発生剤と、水と、前記水を前記水素発生剤と反応しない非流出状態に保持する非流出状態保持手段と、を水素ガスを外部に放出する孔を有した副放出手段を備えた副収容体に収容し、前記副収容体は、水素ガスを外部に放出する孔を有した主放出手段を備えた主収容体に収容して一体に構成すると共に、前記副収容体を内包した前記主収容体は、前記液体中に遊動自在に投入され、前記非流出状態保持手段は、前記主収容体外から所定量のエネルギーを付与することにより前記非流出状態の前記水を前記水素発生剤と反応可能な流出状態に変化させるものであり、前記エネルギーの付与をトリガーとして、前記流出状態となった前記水を前記水素発生剤と反応させ、前記副収容体内にて生成した水素を前記副放出手段と前記主放出手段を介して放出することにより、前記液体の水素発生ユニット内への浸潤によらず前記水素含有液を生成すべく構成したため、万一、副収容体内から副放出手段を介して反応後の水が流出したとしても、流出した反応後の水は主収容体内に留まるため、反応後の水が水素発生ユニット外の液体中に流出することを防止できる。【００２１】  また、水素発生ユニットの収容体が二重構造となることで、外側に位置する主収容体の表面温度は、水素の生成反応による発熱が内部の副収容体を介して緩和されて伝わるので高温にならず取扱い易く、しかも、主収容体の外表面で接する調製容器中の液体の温度が低くても、副収容体内に収容された水素発生剤の温度低下を防止でき、水素の生成反応を阻害することがない。【００２２】  更に、万一、主放出手段を介して調製容器中の液体が内部に侵入したとしても、侵入した液体は副収容体の内部には侵入できず水素発生剤と接することはないので、必要以上の水分が水素発生剤と触れて水素の生成反応を阻害することはない。【００２３】  しかも、二重構造の収容体により、単独の収容体からなる水素発生ユニットに比して、意図せず主収容体外から所定量の外力が付与されても、容易には非流出状態の水が流出状態に変化しないので、使用者の意思に反した水素ガスの発生を可及的に防止できる。【００２４】  また、前記副収容体は、前記水素発生剤と前記水と前記非流出状態保持手段とを収容する副収容室を備え、前記主収容体は、前記副収容体を収容する主収容室を備え、前記非流出状態保持手段は、前記水を密閉収容して前記非流出状態とする可撓性の区画室であり、同区画室は、収容していた前記水を吐出して前記流出状態とする脆弱部を有し、前記エネルギーとして前記主収容体を手指で挟持する押圧力が所定量付与されることにより前記脆弱部を破断し、前記流出状態となった前記水が前記水素発生剤と反応して生成した水素を前記副放出手段と前記主放出手段を介して放出することにより、前記液体の水素発生ユニット内への浸潤によらず前記水素含有液を生成すべく構成したことより、水素発生ユニットの外形をなす主収容体を手指で挟持しながら脆弱部を破断する程度に押圧するだけで水を流出状態にできるの��極めて簡便に水素の生成反応を開始させることができ、しかも、収容体の内部に注水する作業が不要となる。【００２５】  また、前記主放出手段は管状の狭窄通路で形成された主水素排出口を備え、前記副放出手段は管状の狭窄通路で形成された副水素排出口を備えることにより、主・副収容体に別途の部材を使用せずとも主・副収容体の各々に一体の主・副水素排出口を各々形成できるので、水素発生ユニットを安価に製造でき、経費的に有利である。【００２６】  また、前記主・副収容体は可撓性を有する合成樹脂材からなり、前記主収容体は前記主水素排出口と連通し、前記副収容体は前記副水素排出口と連通し、前記副収容室には更に貫通用部材を収容し、前記貫通用部材は先端先鋭の貫通用突起を有し、前記副収容室には、前記脆弱部に前記貫通用突起を対峙して収容し、前記エネルギーとして前記主収容体を手指で挟持する押圧力が所定量付与されることにより前記貫通用突起が前記脆弱部を破断し、前記流出状態となった前記水が前記水素発生剤と反応して生成した水素を前記主・副水素排出口を介して放出することにより、前記液体の水素発生ユニット内への浸潤によらず前記水素含有液を生成すべく構成したことより、主収容体を手指で挟持して付与する押圧力が弱くても、貫通用部材の貫通用突起により容易に脆弱部を破断させることができるので、少なくとも高齢者など手先の力が弱い者でも容易に水を流出状態にできるので極めて簡便に水素の生成反応を開始させることができる。【００２７】  また、前記主水素排出口の開口方向を鉛直方向とし、前記副水素排出口の開口方向を水平方向として互いが異なる開口方向となるように形成したことより、水を流出状態として水素の生成反応が開始した後、万一、水素ガスが水と共に上方に噴出したとしても副水素排出口の開口方向は水平方向であることから反応後の水は副水素排出口から流出し難く、更に、水素発生ユニットを大きく傾けて副水素排出口の開口方向が略鉛直方向となり、副収容体内の反応後の水が副水素排出口から流出したとしても、その際の主水素排出口の開口方向は水平方向であることから、そのまま一気に主収容体の外部に反応後の水流出することを防止できる。【００２８】  また、前記主水素排出口の前記狭窄通路には、前記主水素排出口の前記狭窄通路と連通する前記主収容室の上部側壁を左右側部と底部からなる正面視凹状とし、凹状の前記底部で前記主水素排出口の前記狭窄通路の下端部が連通した逆流防止部を備えることより、万一、水素発生ユニットが大きく傾いて、その際に主収容体内に反応後の水が存在していた場合、反応後の水主水素排出口側に向かって移動したしたとしても、凹状の底部に反応後の水が滞留することは無く、凹状の底部の左右側部のいずれかに反応後の水が滞留することになるため、反応後の水が主収容体の外部の液体中に流出することを防止できる。【００２９】  また、前記主収容体の下部側を先端先鋭に形成したことより、水素発生ユニットの上下が明確となり、ペットボトル等の調製容器中の液体に水素発生ユニットを投入する向きを直感的に把握することができる。【００３０】  更に、水素発生ユニットの前記主収容体に装着自在なカバー体であり、前記カバー体は、前記カバ��体を前記主収容体に装着することで前記主収容体を略被覆すると共に、前記カバー体の外部から機械的なエネルギーとしての外力が付与されても前記非流出状態保持手段が前記非流出状態を保持することができるように外力遮断部を備えたことより、水素発生ユニットへの意図しない外力の付与により、水が流出状態となって水素の生成反応が開始されてしまうことを防止できる。
【図面の簡単な説明】
【００３１】
【図１】（ａ）は水素発生ユニットの正面図と上端を示す図であり、（ｂ）は水素発生ユニットの側面図である。
【図２】水素発生ユニットの分解図である。
【図３】人手により水を流出状態とする方法を示した説明図である。
【図４】（ａ）は水が非流出状態である水素発生ユニットを示し、（ｂ）は流出状態の途中を示し、（ｃ）は流出状態の終盤を示す説明図である。
【図５】（ａ）は水素発生ユニットを投入する開蓋した調製容器の上部を示し、（ｂ）は水素発生ユニットを投入して閉蓋した調製容器の上部を示した説明図である。
【図６】水素生成中の水素発生ユニットを逆さにした状態を示す説明図である。
【図７】（ａ）は区画室と変形例に係る貫通用部材を示した斜視図で、（ｂ）はこれらを対峙してセットした副収容室内での収納状態を示す側面図である。
【図８】（ａ）はカバー体を装着した水素発生ユニットの前方斜視図で、（ｂ）は後方斜視図である。
【発明を実施するための形態】
【００３２】  本発明は、液体中に投入することにより同液体中に水素を含有させて水素含有液を生成する水素発生ユニットに関するものである。
【００３３】  そして、本実施形態に係る水素発生ユニットに特徴的には、含水して水素を発生する水素発生剤と、水と、前記水を前記水素発生剤と反応しない非流出状態に保持する非流出状態保持手段と、を水素ガスを外部に放出する孔を有した副放出手段を備えた副収容体に収容し、前記副収容体は、水素ガスを外部に放出する孔を有した主放出手段を備えた主収容体に収容して一体に構成すると共に、前記副収容体を内包した前記主収容体は、前記液体中に遊動自在に投入され、前記非流出状態保持手段は、前記主収容体外から所定量のエネルギーを付与することにより前記非流出状態の前記水を前記水素発生剤と反応可能な流出状態に変化させるものであり、前記エネルギーの付与をトリガーとして、前記流出状態となった前記水を前記水素発生剤と反応させ、前記副収容体内にて生成した水素を前記副放出手段と前記主放出手段を介して放出することにより、前記液体の水素発生ユニット内への浸潤によらず前記水素含有液を生成すべく構成している。
【００３４】  ここで、水素を溶解させるための液体は特に限定されるものではないが、水やジュース、お茶等をはじめとする飲料や、注射・点滴等に使用する薬液など、ヒトに拘わらず生体に対して使用する液体物とすることができる。
【００３５】  また、水素発生剤は水分と接触することにより水素を発生するものであれば特に限定されるものではなく、また、混合物であっても良い。
【００３６】  水分と接触することにより水素を発生する混合物としては、例えば、水素よりイオン化傾向の高い金属又は金属化合物と、酸やアルカリなどの反応促進剤との混合物を挙げることができる。
【００３７】  また、好適に用いることのできる金属としては、例えば、鉄、アルミニウム、ニッケル、コバルト、亜鉛等を挙げることができ、好適な反応促進剤としては、例えば、各種酸のほか、水酸化カルシウム、酸化カルシウム、陰イオン交換樹脂、焼成カルシウム、酸化マグネシウム、水酸化マグネシウム等を用いることができる。
【００３８】  また、水素発生剤には、実用上必要な水素生成反応を阻害しない範囲において、必要に応じ適宜機能性を有する物質を添加しても良い。例えば、水との接触により吸熱反応を生じるような物質（例えば尿素や、これと同様の効果を生起する食品添加物に該当する物質。）を添加しておくことにより、水素生成反応に伴って発生する熱を抑制することもできる。
【００３９】  更に、水素発生剤は必ずしも不織布等による袋体に収容させて所定箇所に配置することに限定されず、実施形態に応じて所定箇所に直接配置してもよい。
【００４０】  水は、水素発生剤から水素を生成可能なものであれば特に限定されるものではなく、例えば、純水や水道水、井戸水等を用いることができる。また、水は、水素含有液が生成不可能な程度に水素の発生を妨げるものでなければよく、何らかの物質が溶存しているものであっても良い。例えば、反応促進剤としての酸を溶存させておき、金属や金属化合物と反応させることで水を供給しつつ水素発生剤を構成して水素を発生させるようにしても良い。
【００４１】  非流出状態保持手段は、水を水素発生剤（水の添加と同時に水素発生剤を構成する場合には金属や金属化合物）と反応しない非流出状態に保持するための手段である。
【００４２】  非流出状態保持手段の一例としては、例えば、水を密閉収容して非流出状態とする可撓性の区画室によるものを挙げることができる。
【００４３】  そして、区画室には、所定量の外力が付与されることにより収容していた水を吐出して流出状態とする脆弱部を形成しておくことで、使用者が所望の際に水素発生の反応を開始させることができる。
【００４４】  特に、前述の区画室によって非流出状態保持手段を実現した場合には、エネルギーとして外力を加えることにより、水素生成反応のトリガーとして利用することができる。なお、前述の脆弱部はこの外力によって水を吐出可能な程度に形成しておくのは勿論である。
【００４５】  これら水素発生剤や水、非流出状態保持手段は、主収容体に内包した副収容体に収容されることで水素発生ユニットが形成される。この主・副収容体は、前述の非流出状態保持手段に対して付与されるエネルギーを伝達可能な素材や構造を備えるようにしても良い。
【００４６】  すなわち、前述の区画室によって非流出状態保持手段を実現した場合には、主・副収容体は区画室に外力を伝達可能な部位、例えば指先などで押圧した際に撓むことで主・副収容体の壁部を介して区画室に外力を付与可能な素材や構成を挙げることができる。
【００４７】  また、副収容体には、同副収容体内部にて発生した水素を主収容体内へ放出させるための副放出手段として、狭窄通路で形成された副水素排出口を備え、主収容体には、副収容体内部にて発生した水素を主収容体外へ放出させるための主放出手段として、狭窄通路で形成された主水素排出口を備えている。
【００４８】  この狭窄通路は水素を主収容体内に排出したり、主収容体外に排出するためのものであり、そのために途中で分岐したり、不連続な状態（複数の狭窄通路を備える）で形成されていてもよく、更に、形状が直線であったり曲線であったり等、適宜構成することができる。
【００４９】  また主収容体は、水素発生ユニット外の液体が主収容体内へ浸入するのを防止でき、且つ、副収容体内部にて発生した水素を主水素排出口から主収容体外へ放出可能な素材にて形成されていれば良い。
【００５０】  また副収容体は、万一、主収容体内に水素発生ユニット外の液体が浸入したとしても副収容体内に該液体が侵入するのを防止でき、且つ、副収容体内部にて発生した水素を副水素排出口から主収容体内へ放出可能な素材にて形成されていれば良い。
【００５１】  また、さらに望ましくは、主・副収容体は、水素発生剤を構成する成分など、金属イオンや無機化合物、有機質を透過させないものが良い。
【００５２】  このような素材としては、例えば、ポリプロピレンやポリエチレン、ポリエステル等の合成樹脂材を挙げることができる。
【００５３】  ところで、放出手段である主・副水素排出口には逆止弁の如き機械的な弁機構を付加することも可能である。すなわち、発生させた水素の内圧により、液体の浸入を阻止する弁機構の付勢力に抗して瞬間的に開放させることにより、水素の気泡を副収容体内から主収容体を介して液体中へ放出することもできる。
【００５４】  なお、水素発生ユニットには、主収容体を略被覆するカバー体を装着することもできる。カバー体は、水素発生ユニットの運搬時等においてエネルギーとしての外力が意図せず区画室に付与され、水が流出状態となって水素発生剤と反応することを防止する保護部材である。
【００５５】  このような素材としては、例えば、ポリプロピレンやポリエチレン、ポリエステル、アクリル、ＡＢＳ樹脂、ポリカーボネート等の合成樹脂材を挙げることができる。
【００５６】  このように、本実施形態に係る水素発生ユニットによれば、従来の水素発生ユニットに比して、水素含有液をより手軽に生成することができる。また、液体の水素発生ユニット内への浸潤によらず水素含有液を生成すべく構成し、しかも、収容体を二重構造としているため、水素発生ユニット内外における液体の流通に伴って水素発生剤の成分からなる副生成物が液体へ漏出するおそれを可及的に抑制することができる。
【００５７】  以下、本実施形態に係る水素発生ユニットについて、図面を参照しながら説明する。
【００５８】[実施形態]  本発明の実施形態に係る水素発生ユニットＡは、図１〜図５に示すように、液体（以下、飲用水とする。）Ｌ中に投入することにより同飲用水Ｌ中に水素を含有させて水素含有液を生成する水素発生ユニットＡにおいて、同水素発生ユニットＡは、含水して水素を発生する水素発生剤１５と、水１４と、水１４を水素発生剤１５と反応しない非流出状態に保持する非流出状態保持手段と、を水素ガス１７を外部に放出する孔を有した副放出手段３８を備えた副収容体１９に収容し、副収容体１９は、水素ガス１７を外部に放出する孔を有した主放出手段１８を備えた主収容体１に収容して一体に構成すると共に、副収容体１９を内包した主収容体１は、飲用水Ｌ中に遊動自在に投入され、非流出状態保持手段は、主収容体１外から所定量のエネルギーを付与することにより非流出状態の水１４を水素発生剤１５と反応可能な流出状態に変化させるものであり、エネルギーの付与をトリガーとして、流出状態となった水１４を水素発生剤と反応させ、副収容体１９内にて生成した水素を副放出手段３８と主放出手段１８を介して放出することにより、飲用水Ｌの水素発生ユニットＡ内への浸潤によらず水素含有液を生成すべく構成している。
【００５９】  また、副収容体１９は、水素発生剤１５と水１４と非流出状態保持手段とを収容する副収容室２５を備え、主収容体１は、副収容体１９を収容する主収容室２を備え、非流出状態保持手段は、水１４を密閉収容して非流出状態とする可撓性の区画室４１であり、同区画室４１は、収容していた水１４を吐出して流出状態とする脆弱部４４を有し、エネルギーとして主収容体１を手指Ｐで挟持する押圧力が所定量付与されることにより脆弱部４４を破断し、流出状態となった水１４が水素発生剤１５と反応して生成した水素を副放出手段３８と主放出手段１８を介して放出すべく構成している。
【００６０】  更に、主放出手段１８は管状の狭窄通路３で形成された主水素排出口４を備え、副放出手段３８は管状の狭窄通路２３で形成された副水素排出口２４を備えている。
【００６１】  また、主・副収容体１，１９は可撓性を有する合成樹脂材からなり、図１（ａ）、（ｂ）、図２に示すように、主収容体１は主水素排出口４と連通し、副収容体１９は副水素排出口２４と連通し、副収容室２５には更に貫通用部材４８を収容し、貫通用部材４８は先端先鋭の複数の貫通用突起４９ａ，４９ｂ，４９ｃを有し、副収容室２５には、脆弱部４４に貫通用突起４９ａ，４９ｂ，４９ｃを対峙して収容し、図３に示すように、エネルギーとして主収容体１を手指Ｐで挟持する押圧力が所定量付与されることにより貫通用突起４９ａ，４９ｂ，４９ｃが脆弱部４４を破断し、図４（ｂ）、（ｃ）に示すように、流出状態となった水１４が水素発生剤１５と反応して生成した水素を主・副水素排出口４，２４を介して放出すべく構成している。
【００６２】  また、図１（ａ）、（ｂ）、図２に示すように、主水素排出口４の開口方向を鉛直方向とし、副水素排出口２４の開口方向を水平方向として互いが異なる開口方向となるように形成すると共に、主収容体１の下部側１０を先端先鋭に形成している。
【００６３】  また、主水素排出口４の狭窄通路３には、主水素排出口４の狭窄通路３と連通する主収容室２の上部側壁５を左右側部７ａ，７ｂと底部８からなる正面視凹状とし、凹状の底部８で主水素排出口４の狭窄通路３の下端部９が連通した逆流防止部６を備えている。
【００６４】  更に、水素発生ユニットＡには、図８（ａ）、（ｂ）に示すように、主収容体１に装着自在なカバー体５３を備えることができる。カバー体５３は、カバー体５３を主収容体１に装着することで主収容体１を略被覆すると共に、カバー体５３の外部から機械的なエネルギーとしての外力が付与されても非流出状態保持手段が非流出状態を保持することができるように外力遮断部５４を備えている。
【００６５】  このように水素発生ユニットＡの収容体１，１９を二重構造等に構成することで、従来の水素発生ユニットに比して収容体内の水素生成後の副生成物である反応後の水６８の飲用水Ｌへの流出防止を強化した水素発生ユニットＡを提供することができる。
【００６６】  次に、水素発生ユニットＡの各部の具体的な構成について図面を参照しながら詳述する。
【００６７】[主収容体]  主収容体１は、図５（ｂ）に示すように、後述する調製容器７０の開口部から投入可能な幅員で形成され、図１（ａ）、（ｂ）、図２に示すように、矩形長方形状で下部側１０を先端先鋭に形成した主ケース部１ａと、主密閉フィルムシート１ｂと、で構成され、主ケース部１ａは、帯状のプラスチック製シートの正面側を凹状に膨出させ、主放出手段１８である狭窄通路３からなる主水素排出口４、逆流防止部６、主収容室２を上部から下部にかけて連通配置し、膨出していない主ケース部１ａの偏平状の外縁部を接合部１ｃとしている。また、主密閉フィルムシート１ｂは、帯状のフィルムシートを接合部１ｃに溶着し、膨出させた各部を密閉している。
【００６８】  主密閉フィルムシート１ｂは主ケース部１ａの正面視の外形と同形状の矩形長方形状で下部側１２を先端先鋭に形成しており、主収容体１に溶着することで一体の水素発生ユニットＡを構成する。なお、接合部１ｃへの主密閉フィルムシート１ｂの接合においては、溶着以外に接着剤による接合であってもよい。
【００６９】  主ケース部１ａの材質は、耐熱性や耐衝撃性、気密性に優れたプラスチックシート材であるポリプロピレンを用いているが、ポリエチレン等の合成樹脂材を基材とするシート材等、耐熱性を有し、外部の飲用水Ｌが内部に透過せず、内部の反応水１４や反応後の水６８が外部に透過しないものであれば特に材質は限定されるものではない。
【００７０】  主密閉フィルムシート１ｂの材質は、透明で耐熱性や耐衝撃性、気密性に優れたプラスチックフィルム材であるポリエステルを用いているが、延伸ポリプロピレン（ＯＰＰ）やポリエチレン等の合成樹脂材を基材とするフィルム材等、耐熱性を有し、外部の飲用水Ｌが内部に透過せず、内部の反応水１４や反応後の水６８が外部に透過しないものであれば特に材質や透明度は限定されるものではない。但し、透明度が高い方が反応水１４の流出状態や水素発生体１６への接触状態を確認しやすく有利である。
【００７１】  主放出手段１８である主水素排出口４を形成する狭窄通路３は、主ケース部１ａの上端中央部に開口３ａを形成し、開口３ａから下方の主収容室２にかけて直線的に延設して主収容室２と連通連設している。また、主水素排出口４は断面視略半円状に形成され、外部から飲用水Ｌが容易に浸入しない小径の開口、例えば略１ｍｍ程度の直径で形成し、狭窄通路３自体も同様の断面形状で同様の直径で形成している。
【００７２】  なお、主水素排出口４の開口断面積は狭窄通路３の途中の空間断面積よりも大きく形成してもよく、また、主水素排出口４から主収容室２までの経路を曲線的に形成してもよい。また、主水素排出口４から主収容室２までの距離は外部からの飲用水Ｌの進入や内部の反応水１４や反応後の水６８の流出を防止する観点から長く形成することが望ましく、本実施形態では略１０ｍｍの長さで形成している。更に、狭窄通路３は一箇所であることに限定されない。
【００７３】  また、主収容室２の深さは後述する副収容体１９が余裕を持って収容できる程度であればよい。
【００７４】  主放出手段１８である主水素排出口４の狭窄通路３には、主水素排出口４の狭窄通路３と連通する主収容室２の上部側壁５を左右側部７ａ，７ｂと底部８からなる正面視凹状とし、凹状の底部８で主水素排出口４の狭窄通路３の下端部９が連通した逆流防止部６を備えている。すなわち、狭窄通路３が主収容室２の内側の一部に延設されている。
【００７５】  このように構成することで、図６に示すように、水素発生ユニットＡの主水素排出口４が下方に位置しても、内部の反応後の水６８が狭窄通路３を通過して主水素排出口４から外部に放出されることを未然に防止することができる。
【００７６】  このように形成された主収容室２は、これを囲繞する偏平状の外縁部を接合部１ｃとして全体を主ケース部１ａとし、帯状の主密閉フィルムシート１ｂを接合部１ｃに溶着して上述した各部を密閉し主収容体１を構成している。
【００７７】[副収容体]  副収容体１９は、図１（ａ）、（ｂ）、図２に示すように、主収容体１の主収容室２に収まる外形に形成され、矩形長方形状で下部側２９を先端先鋭に形成した副ケース部１９ａと、副密閉フィルムシート１９ｂと、で構成され、副ケース部１９ａは、帯状のプラスチック製シートの正面側を凹状に膨出させ副収容室２５とし、水収容室２６、移動用通路２７、剤収容室２８を上部から下部にかけて連通配置している。また、膨出していない副ケース部１９ａの偏平状の外縁部を接合部１９ｃとし、水収容室２６の中途部の左右側壁３０ａ，３０ｂと該部分近傍の接合部１９ｃ，１９ｃのみ膨出させて副放出手段３８となる狭窄通路２３，２３を形成している。また、副密閉フィルムシート１９ｂは、帯状のフィルムシートを接合部１９ｃに溶着し、膨出させた各部を密閉している。
【００７８】  また、水収容室２６には反応水１４を収容した区画室４１と貫通用部材４８を収容し、剤収容室２８には水素発生剤１５を内包する水素発生体１６を収容している。
【００７９】  副密閉フィルムシート１９ｂは副ケース部１９ａの正面視の外形と同形状の矩形長方形状で下部側３１を先端先鋭に形成しており、副ケース部１９ａに溶着することで一体の副収容体１９を構成する。なお、接合部１９ｃへの副密閉フィルムシート１９ｂの接合においては、溶着以外に接着剤による接合であってもよい。
【００８０】  副ケース部１９ａの材質は、耐熱性や耐衝撃性、気密性に優れたプラスチックシート材であるポリプロピレンを用いているが、ポリエチレン等の合成樹脂材を基材とするシート材等、耐熱性を有し、外部の飲用水Ｌが内部に透過せず、内部の反応水１４や反応後の水６８が外部に透過しないものであれば特に材質は限定されるものではない。
【００８１】  副密閉フィルムシート１９ｂの材質は、透明で耐熱性や耐衝撃性、気密性に優れたプラスチックフィルム材であるポリエステルを用いているが、延伸ポリプロピレン（ＯＰＰ）やポリエチレン等の合成樹脂材を基材とするフィルム材等、耐熱性を有し、外部の飲用水Ｌが内部に透過せず、内部の反応水１４や反応後の水６８が外部に透過しないものであれば特に材質や透明度は限定されるものではない。但し、透明度が高い方が反応水１４の流出状態や水素発生体１６への接触状態を確認しやすく有利である。
【００８２】  なお、副密閉フィルムシート１９ｂは、撥水性水素透過膜であってもよい。この場合、撥水性水素透過膜が副放出手段となるため、副収容体１９に狭窄通路２３からなる副水素排出口２４を形成する必要は無い。また、撥水性水素透過膜は、水素発生ユニットＡ外の飲用水Ｌが副収容体１９内へ浸入するのを防止でき、且つ、副収容体１９内部にて発生した水素を副収容体外へ放出可能な素材にて形成されていれば良い。
【００８３】  また、さらに望ましくは、撥水性水素透過膜は、水素発生剤１５を構成する成分など、金属イオンや無機化合物、有機質を透過させないものが良い。このような素材としては、例えば、防水透湿性素材（液体状の水の透過は阻止しつつも気体状の水を透過させる素材）や、半透膜、逆浸透膜、伸延ＰＴＦＥ等を挙げることができる。
【００８４】  副放出手段３８である副水素排出口２４を形成する狭窄通路２３は、副ケース部１９ａの上部側の左右端部となる水収容室２６の中途部の接合部１９ｃに開口２３ａ，２３ａを有し、開口２３ａ，２３ａから水平方向に直線的に延設して主収容室２と水収容室２６とを連通連設している。また、副水素排出口２４は断面視略半円状に形成され、外部から飲用水Ｌが容易に浸入しない小径の開口、例えば略１ｍｍ程度の直径で形成し、狭窄通路２３自体も同様の断面形状で同様の直径で形成している。
【００８５】  なお、副水素排出口２４の開口断面積は狭窄通路２３の途中の空間断面積よりも大きく形成してもよく、開口２３ａから水収容室２６までの経路を曲線的に形成してもよい。また、狭窄通路２３は左右の二箇所であることに限定されない。また、水収容室２６の深さは後述する区画室４１と貫通用部材４８が収容できる程度であればよい。
【００８６】  水収容室２６は、長手方向を上下とする有底の矩形箱状に形成し、上述の通り、左右側壁３０ａ，３０ｂの開放端部中央において狭窄通路２３，２３と連通連設している。また、下部側壁３３の開放端部中央において移動用通路２７と連通連設している。なお、水収容室２６は必ずしも矩形箱状である必要はない。
【００８７】  移動用通路２７は、水収容室２６と剤収容室２８の底部３４，３６よりも浅く外観視凹状に形成され、下方の剤収容室２８にかけて幅狭に短く延設して剤収容室２８と連通連設している。なお、移動用通路２７の長さや形状は水収容室２６から剤収容室２８に早く確実に反応水１４が移動する形状であればよい。
【００８８】  剤収容室２８は、長手方向を上下とする有底の矩形箱状に形成し、上部側壁３７の開放端部中央において移動用通路２７と連通連設している。また、剤収容室２８は、中央部で折曲した外観視長方形状の水素発生体１６を折曲面が剤収容室２８の開口から視認できる状態で収容可能な空間とし、収容される水素発生体１６を移動し難く形成している。なお、剤収容室２８に収容された水素発生体１６は、剤収容室２８の底部３６と移動用通路２７の底部３５との深さの違いにより、移動用通路２７側に移動することはない。
【００８９】  このように形成された水収容室２６等の副収容体１９は、これらを囲繞する偏平状の外縁部を接合部１９ｃとして全体を副ケース部１９ａとし、帯状の副密閉フィルムシート１９ｂを接合部１９ｃに溶着して上述した各部を密閉し副収容体１９を構成している。
【００９０】  なお、本実施形態に係る水素発生ユニットＡでは、主収容体１の内部に１つの副収容体１９を内包した構成を説明しているが、内包する副収容体１９の数は本実施形態に限定されるものではなく、また、副収容体１９の内部に更に副収容体１９を内包してもよい。
【００９１】  そして、密閉される水収容室２６と剤収容室２８には以下の部材が収容され、水素発生ユニットＡが構成される。
【００９２】  まず、水収容室２６に収容される反応水１４を内包する区画室４１は、有底の矩形箱状で開放端部全周に接合フランジ部４２ａを形成した箱体４２に、箱体４２の開口を被覆する薄膜で矩形フィルム状の脆弱部４４の外縁端を接合フランジ部４２ａに溶着して水密状としている。なお、本実施形態では反応水１４を可能な限り無菌状態で区画室４１に内包するためにクリーンルーム内での充填を行っている。また、接合フランジ部４２ａへの脆弱部４４の接合においては、溶着以外に接着剤による接合であってもよい。
【００９３】  なお、箱体４２の材質は、気密性に優れたプラスチックシート材であるポリプロピレンを用いているが、ポリエチレン等の合成樹脂材を基材とするシート材等、内部の反応水１４が外部に透過しないものであれば特に材質は限定されるものではない。
【００９４】  脆弱部４４の材質は、透明で気密性に優れたプラスチックフィルム材であるポリエステルを用いているが、延伸ポリプロピレン（ＯＰＰ）やポリエチレン等の合成樹脂材を基材とするフィルム材等、内部の反応水１４が外部に透過せず、破断容易であれば特に材質や透明度は限定されるものではない。
【００９５】  区画室４１は水収容室２６の底部３４に区画室４１の底部４５を向けて、すなわち、脆弱部４４と対向する側を向けて収容される。なお、区画室４１は水収容室２６内で不必要に移動できない程度の外形であることが望ましい。
【００９６】  反応水１４は、水素発生剤１５と接触させて水素生成反応を生起させるための水であり、本実施形態においては純水を用いている。また、区画室４１内に収容された反応水１４は非流出状態に保持されている。
【００９７】  また、水収容室２６には区画室４１と共に貫通用部材４８も収容される。貫通用部材４８は図１（ｂ）、図２に示すように、箱体４２の開口と略同面積で厚め（略０．５ｍｍ）の矩形シート状の合成樹脂材で形成され、上下端部側及び中央部に貫通用突起４９ａ，４９ｂ，４９ｃを３箇所形成している。貫通用突起４９ａ，４９ｂ，４９ｃは２辺が切断され残りの１辺を折曲した先端先鋭の三角形状に形成し、貫通用突起４９ａ，４９ｂ，４９ｃを脆弱部４４に対峙させた状態で水収容室２６に収容している。
【００９８】  また、貫通用部材４８の材質は、耐衝撃性に優れたプラスチックシート材であるポリプロピレンを用いているが、ポリエチレン等の合成樹脂材を基材とするシート材等、材質は特に限定されるものではない。
【００９９】  なお、貫通用部材４８は、変形例として図７（ａ）、（ｂ）に示すような貫通用部材４８ａであってもよい。具体的には、変形例に係る貫通用部材４８ａは、中央部に貫通用突起４９ａ，４９ｂ，４９ｃを形成した貫通用基部６４と、その両端部に載置片６５，６５を立設してコ字状に形成している。載置片６５には、貫通用突起４９ａ，４９ｂ，４９ｃの先端部が脆弱部４４の直前で保持されるように、区画室４１の外縁部をなす接合フランジ部４２ａが当接載置されるフランジ載置部６６を形成している。
【０１００】  フランジ載置部６６は、各載置片６５，６５の内側面の中途部において各載置片６５，６５と直交する段差を形成することで接合フランジ部４２ａを載置可能な平面が形成される。また、このフランジ載置部６６から貫通用基部６４に至るまでを内側にテーパー状に形成している。
【０１０１】  このように貫通用部材４８ａを構成することで、所定の外力が貫通用部材４８ａに付与されるまでは、区画室４１の水１４を非流出状態に保持でき、貫通用突起４９ａ，４９ｂ，４９ｃが意図せず脆弱部４４を破断して水１４が流出状態となる不具合を防止できる。
【０１０２】  なお、貫通用部材４８，４８ａや貫通用突起４９ａ，４９ｂ，４９ｃの形状、貫通用突起４９ａ，４９ｂ，４９ｃの数や位置等は本実施形態に限定されるものではなく、本発明の要旨の範囲内において種々の変形、変更が可能である。
【０１０３】  また、水素発生剤１５は、透水性を有する不織布により長尺の袋状に形成され、内部に水素発生剤１５を収容した水素発生体１６として剤収容室２８に収容される。水素発生体１６は、流出状態となった反応水１４と接触することで水素生成反応を行う部位となる。なお、本実施形態において水素発生剤１５は、アルミニウムと水酸化カルシウムとを主成分として含有する混合粉末としている。
【０１０４】[カバー体]  また、水素発生ユニットＡには、図８（ａ）、（ｂ）に示すようなカバー体５３を装着することができる。カバー体５３は、カバー体５３を主収容体１に装着することで主収容体１を略被覆すると共に、カバー体５３の外部から機械的なエネルギーとしての外力が付与されても非流出状態保持手段が非流出状態を保持することができるように外力遮断部５４を備えている。
【０１０５】  具体的には、カバー体５３は、区画室４１の脆弱部４４側、及びその対向側に意図しない外力が付与されないように区画室４１を保護するために、主収容体１の所定箇所に外力遮断部５４を設け、主収容体１を略被覆する。
【０１０６】  カバー体５３は、有底の矩形箱状に形成した区画室保護部５５と、区画室保護部５５の底部５６から外方に突出した主水素排出口保護部５７と、で構成している。区画室保護部５５は、外力遮断部５４として、主収容体１の主ケース部１ａの表側面を略被覆する第一外力遮断壁５８と、主収容体１の主密閉フィルムシート１ｂの表側面を略被覆する第二外力遮断壁６０と、を対向して備えている。
【０１０７】  第一外力遮断壁５８と第二外力遮断壁６０は、少なくとも区画室４１に外力が付与されない程度の厚みと剛性で形成しており、特に該遮断壁５８，６０に孔等を穿設する必要はないが、本実施形態に係る第一外力遮断壁５８では手指Ｐが入らない程度の傾倒したＨ字型の孔５９を穿設し、第二外力遮断壁６０では左右に台形状の孔６１，６１を穿設している。
【０１０８】  また、主水素排出口保護部５７は主水素排出口４を被覆自在に形成している。なお、本実施形態に係る主水素排出口保護部５７では、主水素排出口保護部５７側の第二外力遮断壁６０に開口６２を設けているが、開口６２の有無は問わない。
【０１０９】[使用方法]  以上、説明したように本実施形態に係る水素発生ユニットＡは構成されている。従って、水素ガス１７の発生手順としては、まず、図３、図４（ａ）に示すように、主水素排出口４を上方とした状態で主収容体１の主密閉フィルムシート１ｂを手指Ｐで押圧し、副収容体１９の水収容室２６を被覆している副密閉フィルムシート１９ｂを介して貫通用部材４８に外力が伝わることで、貫通用突起４９が区画室４１の脆弱部４４を破断させ、破断孔５０から反応水１４を流出させる。
【０１１０】  具体的には、区画室４１と貫通用部材４８からなる非流出状態保持手段を収容した水収容室２６は、主ケース部１ａを密封する主密閉フィルムシート１ｂを外方から手指Ｐにより押圧することで、副ケース部１９ａを密封する副密閉フィルムシート１９ｂが押され、貫通用突起４９が脆弱部４４に向かい破断させて破断孔５０を現出させ、区画室４１に内包された反応水１４を破断孔５０から流出状態とさせる。すなわち、手指Ｐによる外力をエネルギーとし、これをトリガーとして反応水１４を非流出状態から流出状態へと変化させる。
【０１１１】  区画室４１から流出した反応水１４は、図４（ｂ）、（ｃ）に示すように重力により移動用通路２７から剤収容室２８へと流れ込み、水素発生体１６の表皮を形成する不織布を介して内部の水素発生剤１５と接触し、水素生成反応により水素を生起させる。発生した水素ガス１７は、不織布を透過して剤収容室２８から移動用通路２７へと上昇し、更に、水収容室２６から狭窄通路２３，２３を介して副水素排出口２４から主収容室２へと流通する。
【０１１２】  また、主収容室２の水素ガス１７は上昇し、主収容体１の上部に形成された狭窄通路３を介して主水素排出口４から外部へと放出される。
【０１１３】  よって、脆弱部４４の破断により破断孔５０から反応水１４を流出させた後は、図５（ａ）、（ｂ）に示すように調製容器７０内に収容した所定液体としての飲用水Ｌ中に水素発生ユニットＡを投入することで、飲用水Ｌ中に水素を含有させて水素含有液を調製することができる。
【０１１４】  調製容器７０は、炭酸水等を市販する際に用いられるような耐圧性を有する５００ｍｌ容量のペットボトル容器であり、中空状の容器本体７０ａと、同容器本体７０ａの上部開口に螺合して気密密閉するスクリューキャップ７０ｂとで構成している。なお、本実施形態では容器としてペットボトル(ポリエチレンテレフタレート製容器）を用いているがこれに限定されるものではなく、ガラスやアルミ素材にて形成された容器を用いても良い。
【０１１５】  調製容器７０内には飲用水Ｌをボトルネック部近傍（調製容器７０の内容積の５０分の４８〜２５０分の２４９）まで収容して液相部とする一方、その上部を気溜まり部７１として気相部を形成している。
【０１１６】  具体的には、水素発生ユニットＡの主水素排出口４の開口３ａを上方とした状態で、飲用水Ｌが充填された調製容器７０の開口部から飲用水Ｌ中に浸漬させ、図５（ｂ）に示すようにスクリューキャップ７０ｂにより閉蓋すれば、主水素排出口４の開口３ａを上方としたまま水素ガス１７を放出する。
【０１１７】  なお、水素発生ユニットＡの長さは、投入する調製容器７０の胴部の内径よりも長く形成することで、水素発生ユニットＡが調製容器７０内で反転したり横になってしまうことを防止できる。しかも、水素発生ユニットＡは、主収容室２や副収容室２５の水収容室２６や剤収容室２８の空間、及び該空間に充密する水素ガス１７により飲用水Ｌ中で浮揚するように構成している。
【０１１８】  放出された水素ガス１７は、調製容器７０の気溜まり部７１を拡張しながら充満し、調製容器７０の内圧の上昇と共に飲用水Ｌ中に溶存して水素含有液が調製される。
【０１１９】  なお、本実施形態に係る水素発生ユニットＡは、脆弱部４４の破断により反応水１４を流出させた後は、１０〜１５分程度で水素の生成反応が終了するように構成しており、水素含有液の調製後すぐに飲用したい場合には、調製容器の略中央部を把持して手首を中心に左右に略１８０°、略３０秒間すばやく振って攪拌することで略５．０ｐｐｍの水素含有液を生成することができる。
【０１２０】  また、水素の生成反応が終了した後、冷蔵庫で２４時間程度静置させ、上述のように攪拌すれば略７．０ｐｐｍの水素含有液を生成することができるように構成している。
【０１２１】  飲用時には、スクリューキャップ７０ｂを開蓋すれば調製容器７０の開口部近傍に水素発生ユニットＡの上端部が現出しているので、水素発生ユニットＡを容易に抜去して飲用することができる。
【０１２２】  ここで、水素発生ユニットＡの好適な容積（収容体１内部に飲用水Ｌが浸入しないことを前提とする）について説明する。一般的に飲用水Ｌが充填された調製容器７０内には上述の通り気溜まり部７１が存在する。この気溜まり部７１は、水素の生成において水素の含有濃度を低下させる要因となるため、水素発生ユニットＡを投入してスクリューキャップ７０ｂで閉蓋した際にはできるだけ気溜まり部７１が存在しないことが望ましい。
【０１２３】  従って、水素発生ユニットＡの容積は、水素発生ユニットＡ投入前の初期的な気溜まり部７１の容積と近似したものであるか、それ以上であることが望まれるため、本実施形態に係る水素発生ユニットＡにおいてもそのような容積となるように形成し、図５（ｂ）に示すように気溜まり部７１がほとんど存在しないように構成している。
【０１２４】  なお、気溜まり部７１を最小とする方法としては、生体に無害な材質からなる矩形ブロック状、あるいはビーズ状等のスペーサー部材を別途、調製容器７０内に投入することによっても可能である。
【０１２５】  以上、説明したように本実施形態に係る水素発生ユニットＡは構成されており、飲用水Ｌ中に投入することにより同飲用水Ｌ中に水素を含有させて水素含有液を生成する水素発生ユニットＡにおいて、同水素発生ユニットＡは、含水して水素を発生する水素発生剤１５と、水１４と、前記水１４を前記水素発生剤１５と反応しない非流出状態に保持する非流出状態保持手段と、を水素ガス１７を外部に放出する孔を有した副放出手段３８を備えた副収容体１９に収容し、前記副収容体１９は、水素ガス１７を外部に放出する孔を有した主放出手段１８を備えた主収容体１に収容して一体に構成すると共に、前記副収容体１９を内包した前記主収容体１は、前記飲用水Ｌ中に遊動自在に投入され、前記非流出状態保持手段は、前記主収容体１外から所定量のエネルギーを付与することにより前記非流出状態の前記水１４を前記水素発生剤１５と反応可能な流出状態に変化させるものであり、前記エネルギーの付与をトリガーとして、前記流出状態となった前記水１４を前記水素発生剤１５と反応させ、前記副収容体１９内にて生成した水素を前記副放出手段３８と前記主放出手段１８を介して放出することにより、前記飲用水Ｌの水素発生ユニットＡ内への浸潤によらず前記水素含有液を生成すべく構成したため、万一、副収容体１９内から副放出手段３８を介して反応後の水６８が流出したとしても、流出した反応後の水６８は主収容体１内に留まるため、反応後の水６８が水素発生ユニットＡ外の飲用水Ｌ中に流出することを防止できる。
【０１２６】  また、水素発生ユニットＡの収容体１，１９が二重構造等となることで、外側に位置する主収容体１の表面温度は、水素の生成反応による発熱が内部の副収容体１９を介して緩和されて伝わるので高温にならず取扱い易く、しかも、主収容体１の外表面で接する調製容器７０中の飲用水Ｌの温度が低くても、副収容体１９内に収容された水素発生剤１５の温度低下を防止でき、水素の生成反応を阻害することがない。
【０１２７】  更に、万一、主放出手段１８を介して調製容器７０中の飲用水Ｌが内部に侵入したとしても、侵入した飲用水Ｌは副収容体１９の内部には侵入できず水素発生剤１５と接することはないので、必要以上の水分が水素発生剤１５と触れて水素の生成反応を阻害することはない。
【０１２８】  しかも、二重構造の収容体１，１９により、単独の収容体からなる水素発生ユニットに比して、意図せず主収容体１外から所定量の外力が付与されても、容易には非流出状態の水１４が流出状態に変化しないので、使用者の意思に反した水素ガスの発生を可及的に防止できる。
【０１２９】  また、前記副収容体１９は、前記水素発生剤１５と前記水１４と前記非流出状態保持手段とを収容する副収容室２５を備え、前記主収容体１は、前記副収容体１９を収容する主収容室２を備え、前記非流出状態保持手段は、前記水１４を密閉収容して前記非流出状態とする可撓性の区画室４１であり、同区画室４１は、収容していた前記水１４を吐出して前記流出状態とする脆弱部４４を有し、前記エネルギーとして前記主収容体１を手指Ｐで挟持する押圧力が所定量付与されることにより前記脆弱部４４を破断し、前記流出状態となった前記水１４が前記水素発生剤１５と反応して生成した水素を前記副放出手段３８と前記主放出手段１８を介して放出することにより、前記飲用水Ｌの水素発生ユニットＡ内への浸潤によらず前記水素含有液を生成すべく構成したことより、水素発生ユニットＡの外形をなす主収容体１を手指Ｐで挟持しながら脆弱部４４を破断する程度に押圧するだけで水１４を流出状態にできるので極めて簡便に水素の生成反応を開始させることができ、しかも、収容体の内部に注水する作業が不要となる。
【０１３０】  また、前記主放出手段１８は管状の狭窄通路３で形成された主水素排出口４を備え、前記副放出手段３８は管状の狭窄通路２３で形成された副水素排出口２４を備えることにより、主・副収容体１，１９に別途の部材を使用せずとも主・副収容体１，１９の各々に一体の主・副水素排出口４，２４を各々形成できるので、水素発生ユニットＡを安価に製造でき、経費的に有利である。
【０１３１】  また、前記主・副収容体１，１９は可撓性を有する合成樹脂材からなり、前記主収容体１は前記主水素排出口４と連通し、前記副収容体１９は前記副水素排出口２４と連通し、前記副収容室２５には更に貫通用部材４８を収容し、前記貫通用部材４８は先端先鋭の貫通用突起４９ａ，４９ｂ，４９ｃを有し、前記副収容室２５には、前記脆弱部４４に前記貫通用突起４９ａ，４９ｂ，４９ｃを対峙して収容し、前記エネルギーとして前記主収容体１を手指Ｐで挟持する押圧力が所定量付与されることにより前記貫通用突起４９ａ，４９ｂ，４９ｃが前記脆弱部４４を破断し、前記流出状態となった前記水１４が前記水素発生剤１５と反応して生成した水素を前記主・副水素排出口４，２４を介して放出することにより、前記飲用水Ｌの水素発生ユニットＡ内への浸潤によらず前記水素含有液を生成すべく構成したことより、主収容体１を手指Ｐで挟持して付与する押圧力が弱くても、貫通用部材４８の貫通用突起４９ａ，４９ｂ，４９ｃにより容易に脆弱部４４を破断させることができるので、少なくとも高齢者など手先の力が弱い者でも容易に水１４を流出状態にできるので極めて簡便に水素の生成反応を開始させることができる。
【０１３２】  また、前記主水素排出口４の開口方向を鉛直方向とし、前記副水素排出口２４の開口方向を水平方向として互いが異なる開口方向となるように形成したことより、水１４を流出状態として水素の生成反応が開始した後、万一、水素ガス１７が反応後の水６８と共に上方に噴出したとしても副水素排出口２４の開口方向は水平方向であることから反応後の水６８が副水素排出口２４から流出し難く、更に、水素発生ユニットＡを大きく傾けて副水素排出口２４の開口方向が略鉛直方向となり、副収容体１９内の反応後の水６８が副水素排出口２４から流出したとしても、その際の主水素排出口４の開口方向は水平方向であることから、そのまま一気に主収容体１の外部に反応後の水６８が流出することを防止できる。
【０１３３】  また、前記主水素排出口４の前記狭窄通路３には、前記主水素排出口４の前記狭窄通路３と連通する前記主収容室２の上部側壁５を左右側部７ａ，７ｂと底部８からなる正面視凹状とし、凹状の前記底部８で前記主水素排出口４の前記狭窄通路３の下端部９が連通した逆流防止部６を備えることより、万一、水素発生ユニットＡが大きく傾いて、その際に主収容体１内に反応後の水６８が存在していた場合、反応後の水６８が主水素排出口４側に向かって移動したしたとしても、凹状の底部８に反応後の水６８が滞留することは無く、凹状の底部８の左右側部７ａ，７ｂのいずれかに反応後の水６８が滞留することになるため、反応後の水６８が主収容体１の外部の飲用水Ｌ中に流出することを防止できる。
【０１３４】  また、前記主収容体１の下部側１０を先端先鋭に形成したことより、水素発生ユニットＡの上下が明確となり、ペットボトル等の調製容器７０中の飲用水Ｌに水素発生ユニットＡを投入する向きを直感的に把握することができる。
【０１３５】  更に、水素発生ユニットＡの前記主収容体１に装着自在なカバー体５３であり、前記カバー体５３は、前記カバー体５３を前記主収容体１に装着することで前記主収容体１を略被覆すると共に、前記カバー体５３の外部から機械的なエネルギーとしての外力が付与されても前記非流出状態保持手段が前記非流出状態を保持することができるように外力遮断部５４を備えたことより、水素発生ユニットＡへの意図しない外力の付与により、水１４が流出状態となって水素の生成反応が開始されてしまうことを防止できる。
【０１３６】  最後に、上述した実施形態の説明は本発明の一例であり、本発明は上述の実施形態に限定されることはない。このため、上述した実施形態以外であっても、本発明に係る技術的思想を逸脱しない範囲であれば、設計等に応じて種々の変更が可能であることは勿論である。
【符号の説明】
【０１３７】  Ａ  水素発生ユニット  Ｌ  液体（飲用水）  Ｐ  手指  １  主収容体  ２  主収容室  ３  狭窄通路  ４  主水素排出口  ５  上部側壁  ６  逆流防止部  ７ａ  左側部  ７ｂ  右側部  ８  底部  ９  下端部１０  下部側１４  水１５  水素発生剤１７  水素ガス１８  主放出手段１９  副収容体２３  狭窄通路２４  副水素排出口２５  副収容室３８  副放出手段４１  区画室４４  脆弱部４８  貫通用部材４８ａ  貫通用部材４９ａ  貫通用突起４９ｂ  貫通用突起４９ｃ  貫通用突起５３  カバー体５４  外力遮断部
【図１】
2017061056.tif 000003
【図２】
2017061056.tif 000004
【図３】
2017061056.tif 000005
【図４】
2017061056.tif 000006
【図５】
2017061056.tif 000007
【図６】
2017061056.tif 000008
【図７】
2017061056.tif 000009
【図８】
2017061056.tif 000010
【国際調査報告】
2017061056.tif 000011
2017061056.tif 000012
2017061056.tif 000013
2017061056.tif 000014